(57)【要約】【課題】  情報のグルーピングや異なる情報の関連付けを簡単かつ容易に行う、コピー＆貼り付け機能を可能とするＷｅｂ上で動作するデータベースシステム等を提供する。【解決手段】  コピー対象の商品／素材情報レコード４５のコピー対象チェックボックス４４を選択しコピーボタン２２による端末装置１０３からのコピー要求に応じて、サーバ１０１の制御部２０１は、選択されたコピー対象の商品／素材情報ＩＤを判別し、商品／素材情報ＩＤを記憶装置２０２に保持する。貼り付け対象のグループ／作業箱を選択し、貼り付けボタン２４により、サーバ１０１の制御部２０１は、貼り付け対象のグループ／作業箱に対して、コピー対象の商品／素材情報ＩＤを、情報データベース３０１内の管理テーブル群３３０で関連付け、コピー内容４７を貼り付けたデータを生成、送信する。【選択図】  図１４
2005258749.tif 000002
【特許請求の範囲】
【請求項１】
登録利用者の端末装置と、サーバと、がネットワークを介して接続されるシステムであって、
前記サーバは、
分類毎に関連付ける１又は複数の情報を蓄積、管理するデータベースと、
前記端末装置からの商品／素材情報のコピー要求に応じて、選択されたコピー対象の１又は複数の情報の情報識別子を判別し、保持する第１のコピー手段と、
前記端末装置からの貼り付け要求に応じて、保持した情報識別子を、前記データベース内の、選択された貼り付け対象の分類に貼り付けて、前記情報の複製、又は移動を行う第１の貼り付け手段と、
を具備することを特徴とするデータベースシステム。
【請求項２】
登録利用者の端末装置と、サーバと、がネットワークを介して接続されるシステムであって、
前記サーバは、
分類毎に関連付ける１又は複数の情報を蓄積、管理するデータベースと、
前記端末装置からの商品／素材情報のコピー要求に応じて、選択されたコピー対象の１又は複数の情報の情報識別子を判別し、保持する第１のコピー手段と、
前記端末装置からの貼り付け要求に応じて、保持した情報識別子を、前記データベース内の、選択された貼り付け対象の前記情報と他の情報との関連付けを示す関連項目に対して貼り付けて、前記情報の関連付けを行う第２の貼り付け手段と、
を具備することを特徴とするデータベースシステム。
【請求項３】
登録利用者の端末装置と、サーバと、がネットワークを介して接続されるシステムであって、
前記サーバは、
分類毎に関連付ける１又は複数の情報を蓄積、管理するデータベースと、
前記端末装置からの分類情報のコピー要求に応じて、選択されたコピー対象の分類情報の情報識別子を判別し、保持する第２のコピー手段と、
前記端末装置からの貼り付け要求に応じて、保持した分類識別子を、前記データベース内の、選択された貼り付け対象の分類に貼り付けて、前記分類情報の複製、又は移動を行う第３の貼り付け手段と、
を具備することを特徴とするデータベースシステム。
【請求項４】
前記サーバは、
前記端末装置からのコピー内容確認要求に応じて、保持した情報識別子又は分類識別子に応じたコピー内容を前記端末装置に送信するコピー内容送信手段と、
を更に具備することを特徴とする請求項１から請求項３いずれかに記載のデータベースシステム。
【請求項５】
前記第１の貼り付け手段又は第２の貼り付け手段は、
コピー元の削除有無、貼り付け先の上書き有無等のいずれか少なくとも１つの貼り付け設定を行うことを特徴とする請求項１又は請求項２に記載のデータベースシステム。
【請求項６】
前記第３の貼り付け手段は、
コピー元の削除有無、コピー対象の分類下層の全ての分類のコピー有無、コピー対象の分類に所属する情報ショートカットのコピー有無、貼り付け場所等のいずれか少なくとも１つの貼り付け設定を行うことを特徴とする請求項３に記載のデータベースシステム。
【請求項７】
前記第１の貼り付け手段又は第２の貼り付け手段は、
前記貼り付け設定に応じて前記情報の移動の場合、コピー対象の情報が所属する分類識別子に対して、コピー対象の情報識別子の関連付けを削除することを特徴とする請求項１、請求項２、請求項５いずれかに記載のデータベースシステム。
【請求項８】
前記第３の貼り付け手段は、
前記貼り付け設定に応じて前記分類情報の移動の場合、コピー対象の分類が所属する分類識別子に対して、コピー対象の分類識別子の関連付けを削除することを特徴とする請求項３、又は請求項６に記載のデータベースシステム。
【請求項９】
前記第３の貼り付け手段は、
前記貼り付け設定に応じて、コピー対象の分類に所属する情報ショートカットを前記データベース内の貼り付け対象の分類に貼り付けることを特徴とする請求項３、又は請求項６に記載のデータベースシステム。
【請求項１０】
前記第３の貼り付け手段は、
前記貼り付け設定に応じて、コピー対象の分類下層の全ての分類を前記データベース内の貼り付け対象の分類に貼り付けることを特徴とする請求項３、又は請求項６に記載のデータベースシステム。
【請求項１１】
前記情報は、
商品の文字情報を有する商品情報、又は前記商品の画像情報を有する素材情報であることを特徴とする請求項１から請求項１０いずれかに記載のデータベースシステム。
【請求項１２】
前記サーバはＷｅｂサーバであり、前記端末装置はＷｅｂブラウザとして機能するものであることを特徴とする請求項１から請求項１１いずれかに記載のデータベースシステム。
【請求項１３】
登録利用者の端末装置と、ネットワークを介して接続されるサーバであって、
分類毎に関連付ける１又は複数の情報を蓄積、管理するデータベースと、
前記端末装置からの商品／素材情報のコピー要求に応じて、選択されたコピー対象の１又は複数の情報の情報識別子を判別し、保持する第１のコピー手段と、
前記端末装置からの貼り付け要求に応じて、保持した情報識別子を、前記データベース内の、選択された貼り付け対象の分類に貼り付けて、前記情報の複製、又は移動を行う第１の貼り付け手段と、
を具備することを特徴とするサーバ。
【請求項１４】
登録利用者の端末装置と、ネットワークを介して接続されるサーバであって、
分類毎に関連付ける１又は複数の情報を蓄積、管理するデータベースと、
前記端末装置からの商品／素材情報のコピー要求に応じて、選択されたコピー対象の１又は複数の情報の情報識別子を判別し、保持する第１のコピー手段と、
前記端末装置からの貼り付け要求に応じて、保持した情報識別子を、前記データベース内の、選択された貼り付け対象の前記情報と他の情報との関連付けを示す関連項目に対して貼り付けて、前記情報の関連付けを行う第２の貼り付け手段と、
を具備することを特徴とするサーバ。
【請求項１５】
登録利用者の端末装置と、ネットワークを介して接続されるサーバであって、
分類毎に関連付ける１又は複数の情報を蓄積、管理するデータベースと、
前記端末装置からの分類情報のコピー要求に応じて、選択されたコピー対象の分類情報の情報識別子を判別し、保持する第２のコピー手段と、
前記端末装置からの貼り付け要求に応じて、保持した分類識別子を、前記データベース内の、選択された貼り付け対象の分類に貼り付けて、前記分類情報の複製、又は移動を行う第３の貼り付け手段と、
を具備することを特徴とするサーバ。
【請求項１６】
前記端末装置からのコピー内容確認要求に応じて、保持した情報識別子又は分類識別子に応じたコピー内容を前記端末装置に送信するコピー内容送信手段と、
を更に具備することを特徴とする請求項１３から請求項１５いずれかに記載のサーバ。
【請求項１７】
前記第１の貼り付け手段又は第２の貼り付け手段は、
コピー元の削除有無、貼り付け先の上書き有無等のいずれか少なくとも１つの貼り付け設定を行うことを特徴とする請求項１３又は請求項１４に記載のサーバ。
【請求項１８】
前記第３の貼り付け手段は、
コピー元の削除有無、コピー対象の分類下層の全ての分類のコピー有無、コピー対象の分類に有する情報ショートカットのコピー有無、貼り付け場所等のいずれか少なくとも１つの貼り付け設定を行うことを特徴とする請求項１５に記載のサーバ。
【請求項１９】
前記第１の貼り付け手段又は第２の貼り付け手段は、
前記貼り付け設定に応じて前記情報の移動の場合、コピー対象の情報が所属する分類識別子に対して、コピー対象の情報識別子の関連付けを削除することを特徴とする請求項１３、請求項１４、請求項１７いずれかに記載のサーバ。
【請求項２０】
前記第３の貼り付け手段は、
前記貼り付け設定に応じて前記分類情報の移動の場合、コピー対象の分類が所属する分類識別子に対して、コピー対象の分類識別子の関連付けを削除することを特徴とする請求項１５、又は請求項１８に記載のサーバ。
【請求項２１】
前記第３の貼り付け手段は、
前記貼り付け設定に応じて、コピー対象の分類に所属する情報ショートカットを前記データベース内の貼り付け対象の分類に貼り付けることを特徴とする請求項１５、又は請求項１８に記載のサーバ。
【請求項２２】
前記第３の貼り付け手段は、
前記貼り付け設定に応じて、コピー対象の分類下層の全ての分類を前記データベース内の貼り付け対象の分類に貼り付けることを特徴とする請求項１５、又は請求項１８に記載のサーバ。
【請求項２３】
前記情報は、
商品の文字情報を有する商品情報、又は前記商品の画像情報を有する素材情報であることを特徴とする請求項１３から請求項２２いずれかに記載のサーバ。
【請求項２４】
前記サーバはＷｅｂサーバであり、前記端末装置はＷｅｂブラウザとして機能するものであることを特徴とする請求項１３から請求項２３いずれかに記載のサーバ。
【請求項２５】
コンピュータを請求項１３から請求項２４のいずれかに記載のサーバとして機能させるプログラム。
【請求項２６】
コンピュータを請求項１３から請求項２４のいずれかに記載のサーバとして機能させるプログラムを記録した記録媒体。
【発明の詳細な説明】
【技術分野】
【０００１】
本発明は、ネットワークを利用した、Ｗｅｂ上で動作するデータベースシステムに係り、特にコピー及び貼り付け機能に関する。
【背景技術】
【０００２】
近年、カタログ制作を行う際、コンピュータの普及に伴い、カタログに載せる商品データをデータベース化して利用することが始まっている。データベースと連携し、デスクトップパブリッシング（ＤＴＰ）等でカタログ制作作業を行い、その効率化が図られてきている。例えば、商品情報等を蓄積したデータベースと、データベースの情報を管理し、データベースの情報の入出力、検索、閲覧等の機能を提供するサーバと複数のユーザ端末装置等からなるＷｅｂ上で動作するデータベースシステムが幾つか存在する（例えば、特許文献１）。
【０００３】
【特許文献１】特開２００１−３０６３７７号公報
【発明の開示】
【発明が解決しようとする課題】
【０００４】
従来のデータベースシステムにおいては、あるグループＡに所属する商品情報Ｘを別のグループＢにも所属させる場合に、商品情報Ｘのショートカットを複製してグループＢに入力する必要があるが、Ｗｅｂ上でショートカットを別のグループに複製する機能は存在しなかった。
また、Ｗｅｂ上で、ある商品情報Ｘに別の商品情報Ｙを関連付ける場合、商品情報Ｘの関連付けを行う項目に対して商品検索を行い、検索にヒットした商品情報の中から関連付けを行いたい商品情報Ｙを選択して関連付けを行っていた。異なる項目や異なる商品情報に対して関連付けを行う場合には、それぞれの項目に対して、毎回、商品検索を行う必要があり、効率的ではなかったという問題があった。
【０００５】
本発明は、以上の点に鑑みてなされたものであり、情報のグルーピングや異なる情報の関連付けを簡単かつ容易に行う、コピー＆貼り付け機能を可能とするＷｅｂ上で動作するデータベースシステム等を提供することを目的とする。
【課題を解決するための手段】
【０００６】
前述した目的を達成するために第１の発明は、登録利用者の端末装置と、サーバと、がネットワークを介して接続されるシステムであって、前記サーバは、分類毎に関連付ける１又は複数の情報を蓄積、管理するデータベースと、前記端末装置からの商品／素材情報のコピー要求に応じて、選択されたコピー対象の１又は複数の情報の情報識別子を判別し、保持する第１のコピー手段と、前記端末装置からの貼り付け要求に応じて、保持した情報識別子を、前記データベース内の、選択された貼り付け対象の分類に貼り付けて、前記情報の複製、又は移動を行う第１の貼り付け手段と、を具備することを特徴とするデータベースシステムである。
【０００７】
また、前記サーバは、コピー内容確認要求に応じて、保持した情報識別子又は分類識別子に応じたコピー内容を前記端末装置に送信するコピー内容送信手段と、を更に具備することが望ましい。
また、前記第１の貼り付け手段又は第２の貼り付け手段は、コピー元の削除有無、貼り付け先の上書き有無等のいずれか少なくとも１つの貼り付け設定を行うことが望ましい。
また、前記第３の貼り付け手段は、コピー元の削除有無、コピー対象の分類下層の全ての分類のコピー有無、コピー対象の分類に有する情報ショートカットのコピー有無、貼り付け場所等のいずれか少なくとも１つの貼り付け設定を行うことが望ましい。
また、前記第１の貼り付け手段又は第２の貼り付け手段は、前記情報の移動の場合、コピー対象の情報が所属する分類識別子に対して、コピー対象の情報識別子の関連付けを削除することが望ましい。
また、前記第３の貼り付け手段は、前記分類情報の移動の場合、コピー対象の分類が所属する分類識別子に対して、コピー対象の分類識別子の関連付けを削除することが望ましい。
【０００８】
第１の発明では、サーバは、分類毎に関連付ける１又は複数の情報を蓄積、管理するデータベースを有し、端末装置からの商品／素材情報のコピー要求に応じて、選択されたコピー対象の１又は複数の情報の情報識別子を判別し、保持し、端末装置からの選択された貼り付け対象の分類に対する貼り付け要求に応じて、保持した情報識別子を、データベース内の、貼り付け対象の分類に貼り付けて、情報の複製、又は移動を行う。
【０００９】
第２の発明は、登録利用者の端末装置と、サーバと、がネットワークを介して接続されるシステムであって、前記サーバは、分類毎に関連付ける１又は複数の情報を蓄積、管理するデータベースと、前記端末装置からの商品／素材情報のコピー要求に応じて、選択されたコピー対象の１又は複数の情報の情報識別子を判別し、保持する第１のコピー手段と、前記端末装置からの貼り付け要求に応じて、保持した情報識別子を、前記データベース内の、選択された貼り付け対象の前記情報と他の情報との関連付けを示す関連項目に対して貼り付けて、前記情報の関連付けを行う第２の貼り付け手段と、を具備することを特徴とするデータベースシステムである。
第２の発明は、サーバは、分類毎に関連付ける１又は複数の情報を蓄積、管理するデータベースを有し、端末装置からの商品／素材情報のコピー要求に応じて、選択されたコピー対象の１又は複数の情報の情報識別子を判別し、保持する。端末装置からの選択された貼り付け対象の前記情報と他の情報との関連付けを示す関連項目に対する貼り付け要求に応じて、保持した情報識別子を、データベース内の、貼り付け対象の関連項目に対して貼り付けて、情報の関連付けを行う。
【００１０】
第３の発明は、登録利用者の端末装置と、サーバと、がネットワークを介して接続されるシステムであって、前記サーバは、分類毎に関連付ける１又は複数の情報を蓄積、管理するデータベースと、前記端末装置からの分類情報のコピー要求に応じて、選択されたコピー対象の分類情報の情報識別子を判別し、保持する第２のコピー手段と、前記端末装置からの貼り付け要求に応じて、保持した分類識別子を、前記データベース内の、選択された貼り付け対象の分類に貼り付けて、前記分類情報の複製、又は移動を行う第３の貼り付け手段と、を具備することを特徴とするデータベースシステムである。
第３の発明は、サーバは、分類毎に関連付ける１又は複数の情報を蓄積、管理するデータベースを有し、端末装置からの分類情報のコピー要求に応じて、選択されたコピー対象の分類情報の情報識別子を判別、保持する。端末装置からの選択された貼り付け対象の分類に対する貼り付け要求に応じて、保持した分類識別子を、データベース内の貼り付け対象の分類に貼り付けて、分類情報の複製、又は移動を行う。
【００１１】
第４の発明は、登録利用者の端末装置と、ネットワークを介して接続されるサーバであって、分類毎に関連付ける１又は複数の情報を蓄積、管理するデータベースと、前記端末装置からの商品／素材情報のコピー要求に応じて、選択されたコピー対象の１又は複数の情報の情報識別子を判別し、保持する第１のコピー手段と、前記端末装置からの貼り付け要求に応じて、保持した情報識別子を、前記データベース内の、選択された貼り付け対象の分類に貼り付けて、前記情報の複製、又は移動を行う第１の貼り付け手段と、を具備することを特徴とするサーバである。
第４の発明は、第１の発明のデータベースシステムで用いられるサーバに関する発明である。
【００１２】
第５の発明は、登録利用者の端末装置と、ネットワークを介して接続されるサーバであって、分類毎に関連付ける１又は複数の情報を蓄積、管理するデータベースと、前記端末装置からの商品／素材情報のコピー要求に応じて、選択されたコピー対象の１又は複数の情報の情報識別子を判別し、保持する第１のコピー手段と、前記端末装置からの貼り付け要求に応じて、保持した情報識別子を、前記データベース内の、選択された貼り付け対象の前記情報と他の情報との関連付けを示す関連項目に対して貼り付けて、前記情報の関連付けを行う第２の貼り付け手段と、を具備することを特徴とするサーバである。
第５の発明は、第２の発明のデータベースシステムで用いられるサーバに関する発明である。
【００１３】
第６の発明は、登録利用者の端末装置と、ネットワークを介して接続されるサーバであって、分類毎に関連付ける１又は複数の情報を蓄積、管理するデータベースと、前記端末装置からの分類情報のコピー要求に応じて、選択されたコピー対象の分類情報の情報識別子を判別し、保持する第２のコピー手段と、前記端末装置からの貼り付け要求に応じて、保持した分類識別子を、前記データベース内の、選択された貼り付け対象の分類に貼り付けて、前記分類情報の複製、又は移動を行う第３の貼り付け手段と、を具備することを特徴とするサーバである。
第６の発明は、第３の発明のデータベースシステムで用いられるサーバに関する発明である。
【００１４】
「情報」は、商品の文字情報を有する商品情報、又は商品の画像情報を有する素材情報である。
「分類」は、データベース内の情報を分類分けして管理する仕組みであり、「グループ」や「作業箱」と呼ばれる。
「サーバ」はＷＷＷサーバであり、「端末装置」はＷＷＷブラウザとして機能するものである。
「情報と他の情報との関連付けを示す関連項目」には、商品／素材情報と商品／素材情報の関連項目を関連付ける商品関連商品、商品関連素材、素材関連素材等がある。「商品関連商品」は、商品と別の商品を関連付け、「商品関連素材」は、商品とその商品の画像などの素材情報を関連付け、「素材関連素材」は、素材と別の素材を関連付ける。
【００１５】
第７の発明は、コンピュータを第１の発明から第３の発明のいずれかのサーバとして機能させるプログラムである。
第８の発明は、コンピュータを第１の発明から第３の発明のいずれかのサーバとして機能させるプログラムを記録した記録媒体である。
【００１６】
上述のプログラムをＣＤ−ＲＯＭ等の記録媒体に保持させて流通させてもよいし、このプログラムを通信回線を介して送受することもできる。
【発明の効果】
【００１７】
本発明は、情報のグルーピングや異なる情報の関連付けを簡単かつ容易に行う、コピー＆貼り付け機能を可能とするＷｅｂ上で動作するデータベースシステム等を提供することができる。
【発明を実施するための最良の形態】
【００１８】
以下に、添付図面を参照しながら、本発明に係るデータベースシステム等の好適な実施形態について詳細に説明する。なお、以下の説明および添付図面において、略同一の機能構成を有する構成要素については、同一の符号を付することにより重複説明を省略することにする。
【００１９】
図１は、本発明の本実施の形態に係るデータベースシステム１００の概略構成を示す図である。
【００２０】
図１に示すように、データベースシステム１００は、サーバ１０１、複数のユーザ１０４の端末装置１０３等が、ネットワーク１０９を介して接続されて構成される。尚、データベースシステム１００は、ＷＷＷ（Ｗｏｒｌｄ  Ｗｉｄｅ  Ｗｅｂ）技術を用いて実現した場合の構成図である。
【００２１】
ネットワーク１０９は、インターネット、ローカルエリアネットワーク（ＬＡＮ）、社内ＬＡＮ等のネットワークであり、有線、無線を問わない。
【００２２】
サーバ１０１は、サーバコンピュータ等であり、ＷＷＷサーバ１１０、データベース操作手段１１１、データベースサーバ管理手段１１２、データベース管理手段１１３等を有する。データベース操作手段１１１は、ＷＷＷサーバ１１０から呼び出され、情報データベース３０１の検索や情報内容の参照、閲覧等を行う。データベースサーバ管理手段１１２は、ユーザ１０４の登録や各種設定等のシステム運用・管理を行う。データベース管理手段１１３は、データベースエンジン等であり、データベースへの検索、参照、登録、削除等の各種要求に対する該当処理を行う。
【００２３】
ユーザ１０４は、情報データベース３０１を利用する、予め、サーバ１０１に登録した利用者であり、端末装置１０３を有する。端末装置１０３には、ＷＷＷブラウザ１２０が搭載される。端末装置１０３は、ＷＷＷブラウザ１２０を介して、サーバ１０１のＷＷＷサーバ１１０にアクセスし、情報データベース３０１の操作要求、入力情報等を送信し、情報データベース３０１から取得した情報等を受信する。尚、端末装置１０３は、パーソナルコンピュータ、携帯情報端末（Ｐｅｒｓｏｎａｌ  Ｄｉｇｉｔａｌ  Ａｓｓｉｓｔａｎｔ）等である。
【００２４】
次に、サーバ１０１のハードウェア構成を説明する。図２は、サーバ１０１のハードウェア構成図である。
【００２５】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２６】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２７】
記憶装置２０２には、各構成部分を駆動制御する制御プログラム３１１、アプリケーションプログラム３１２、及び情報データベース３０１等が格納されている。
【００２８】
これらの各プログラムコードは、制御部２０１により必要に応じて読み出されてＲＡＭに移され、ＣＰＵに読み出されて各種の手段として実行される。
【００２９】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００３０】
通信制御部２０４は、通信制御装置、通信ポート等であり、ネットワーク１０９を介して、サーバ１０１と、端末装置１０３間の通信制御を行う。
【００３１】
入力部２０５は、キーボード、マウス等であり、表示部２０７（ディスプレイ）に表示された操作案内、各種処理、操作を行う。
印刷部２０６は、プリンタであり、印刷出力処理を行う。
【００３２】
次に、記憶装置２０２におけるデータベースシステム関連のファイル配置について説明する。図３は、記憶装置２０２におけるデータベースシステム関連のファイル配置を示す。図４は、情報データベース３０１のデータ構造を示す。
図３に示すように、記憶装置２０２内には、情報データベース３０１、及び制御プログラム３１１、アプリケーションプログラム３１２等が格納されている。
【００３３】
図４に示すように、情報データベース３０１には、情報３２０と各種管理テーブル群３３０等を記憶する。尚、サーバ１０１が管理する情報データベース３０１は、必要に応じて、複数存在してもよい。
情報３２０は、商品の文字情報（スペックなど）を有する商品情報３２１、商品の画像情報を有する素材情報３２２等からなる。情報データベース３０１内の情報３２０は、グループ／作業箱に分類分けして、管理される。
管理テーブル群３３０には、グループ／作業箱の階層構造とグループ情報／作業箱情報を管理するグループ管理テーブル３３１、作業箱管理テーブル３３２等と、商品情報ＩＤ８１／素材情報ＩＤ８２と商品情報３２１／素材情報３２２が所属するグループＩＤ７１／作業箱ＩＤ７２を関連付ける商品グループテーブル３４１、素材グループテーブル３４２、商品作業箱テーブル３４３、素材作業箱テーブル３４４等と、商品情報ＩＤ８１／素材情報ＩＤ８２と商品情報３２１／素材情報３２２の関連項目を関連付ける商品関連商品テーブル３５１、商品関連素材テーブル３５２、素材関連素材テーブル３５３等からなる。
【００３４】
尚、商品関連商品は、商品と別の商品を関連付ける。例えば、テレビに対して付属商品としてリモコンが付いているとすると、商品情報「テレビ」の関連商品項目「付属商品」に商品情報「リモコン」を関連付けて管理する。
商品関連素材は、商品とその商品の画像などの素材情報を関連付ける。例えば、テレビの商品画像として「テレビ正面画像．ｊｐｇ」があるとすると、商品情報「テレビ」の関連素材項目「商品画像」に素材情報「テレビ正面画像．ｊｐｇ」を関連付けて管理する。
素材関連素材は、素材と別の素材を関連付ける。例えば、「テレビセット画像．ｅｐｓ」に「テレビ正面画像．ｅｐｓ」と「リモコン画像．ｅｐｓ」を利用している場合に、素材情報「テレビセット画像．ｅｐｓ」に素材情報「テレビ正面画像．ｅｐｓ」と素材情報「リモコン画像．ｅｐｓ」を関連付けて管理する。
【００３５】
制御プログラム３１１は、サーバ１０１の各構成部分を駆動制御するプログラムである。
アプリケーションプログラム３１２は、実行可能プログラムであり、ＷＷＷサーバ１１０、データベース操作手段１１１、データベースサーバ管理手段１１２、データベース管理手段１１３等に該当するプログラムである。
【００３６】
次に、端末装置１０３のハードウェア構成を説明する。図５は、端末装置１０３のハードウェア構成図である。
【００３７】
図５に示すように、端末装置１０３は、制御部４０１、記憶装置４０２（ハードディスク、外部メモリ）、メディア入出力部４０３（ＣＤ−ＲＯＭ）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００３８】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００３９】
記憶装置４０２（ハードディスク）には、各構成部分を駆動制御するプログラム、ＷＷＷブラウザ１２０等のアプリケーションプログラム等が格納されている。
【００４０】
これらの各プログラムコードは、制御部４０１により必要に応じて読み出されてＲＡＭに移され、ＣＰＵに読み出されて各種の手段として実行される。
【００４１】
メディア入出力部４０３（ＣＤ−ＲＯＭドライブ装置）は、制御部４０１のＲＯＭや記憶装置４０２に記憶されているプログラムや情報をバージョンアップ、機器設定等の設定を行う際に用いられる。
【００４２】
通信制御部４０４は、通信制御装置、通信ポート等であり、ネットワーク１０９を介して、端末装置１０３と、サーバ１０１間の通信制御を行う。
【００４３】
入力部４０５は、キーボード、マウス等であり、表示部４０７（ディスプレイ）に表示された操作案内、各種処理、操作を行う。
印刷部４０６は、プリンタであり、印刷出力処理を行う。
【００４４】
次に、データベースシステム１００のコピー処理と貼り付け処理の処理概要を説明する。図６は、データベースシステム１００のコピー処理と貼り付け処理の処理概要を示すフローチャートである。
【００４５】
図６に示すように、端末装置１０３の制御部４０１は、サーバ１０１にアクセス、ログインし、サーバ１０１の制御部２０１は、ログイン処理、情報データベース３０１、ユーザグループ等の設定処理、接続された情報データベース３０１の情報３２０を操作するメイン画面表示処理等を行う（ステップ６０１）。
【００４６】
端末装置１０３からの選択されたコピー対象と、貼り付け対象によって、コピー処理と貼り付け処理は、次のような処理に分かれる。
【００４７】
コピー対象として商品／素材情報（以降、商品情報３２１／素材情報３２２を商品／素材情報と称す）を選択した場合、サーバ１０１の制御部２０１は、指定された商品／素材情報のコピー処理を行う（ステップ６０２）。
コピー対象としてグループ／作業箱情報を選択した場合、制御部２０１は、指定されたグループ／作業箱情報のコピー処理を行う（ステップ６０３）。
【００４８】
コピー対象として選択された商品／素材情報に対して、貼り付け対象としてグループ／作業箱を指定した場合、制御部２０１は、指定されたグループ／作業箱への商品／素材情報ショートカットの移動、又は複製処理を行う（ステップ６０４）。
また、コピー対象として選択された商品／素材情報に対して、貼り付け対象として商品／素材情報の関連項目を指定した場合、制御部２０１は、指定された商品情報３２１／素材情報３２２の関連項目への商品／素材情報の関連付け処理を行う（ステップ６０５）。
【００４９】
また、コピー対象として選択されたグループ／作業箱情報に対して、貼り付け対象としてグループ／作業箱を指定した場合、制御部２０１は、指定されたグループ／作業箱へのグループ／作業箱情報の移動、又は複製処理を行う（ステップ６０６）。
【００５０】
次に、ステップ６０１の処理である、ログイン処理から、接続された情報データベース３０１の情報３２０を操作するメイン画面表示処理までを詳しく説明する。図７は、ログイン処理からメイン画面表示処理（ステップ６０１）の処理手順を示すフローチャートである。図１３は、ログイン画面１０とデータベース選択画面１１を示す。
【００５１】
図７に示すように、端末装置１０３の制御部４０１は、サーバ１０１にアクセスし、ログインする（ステップ７０１）。
【００５２】
例えば、ユーザ１０４は端末装置１０３のＷＷＷブラウザ１２０からサーバ１０１のＵＲＬを指定してサーバ１０１にアクセスし、サーバ１０１の制御部２０１は、ＷＷＷサーバ１１０を介して、ログイン画面データを端末装置１０３に送信する。
図１３に示すように、制御部４０１は、ＷＷＷブラウザ１２０を介して、受け取ったログイン画面１０を表示する。ユーザ１０４は、ユーザＩＤ３２、パスワード３３を入力し、制御部４０１は、入力したユーザＩＤ３２、パスワード３３をサーバ１０１に送信する。また、必要に応じて、複数のサーバ１０１が存在する場合、サーバ名３１を指定する。
【００５３】
サーバ１０１の制御部２０１は、ＷＷＷサーバ１１０を介して、ユーザＩＤ３２、パスワード３３等を受け取り、ユーザ認証を行う（ステップ７０２）。以降、端末装置１０３とサーバ１０１との間でのデータの送受信は、ＷＷＷブラウザ１２０とＷＷＷサーバ１１０を介して、行われる。
制御部２０１は、正しくユーザ認証された場合、データベース選択画面データを端末装置１０３に送信する（ステップ７０３）。
【００５４】
端末装置１０３の制御部４０１は、受け取ったデータベース選択画面１１を表示する（ステップ７０４）。
図１３に示すように、ユーザ１０４は、ユーザグループ３４を選択すると、制御部４０１は選択したユーザグループ３４に応じて接続可能なデータベース名３５が表示され、データベース名３５を選択し、制御部４０１は、ユーザグループ３１、データベース名３２等をサーバ１０１に送信する（ステップ７０５）。例えば、ユーザグループ３４に“ｄｅｍｏ−ＲＷ（編集）”を選択すると、接続可能なデータベースとして“商品情報データベース（ｄｂ−Ｖ１）”と“商品情報データベース（ｄｂ−Ｖ２）”が表示され、“商品情報データベース（Ｖ１）”を選択する。
【００５５】
サーバ１０１の制御部２０１は、ユーザグループ３４、データベース名３５に応じた商品情報データベース３０１等を設定する（ステップ７０６）。
制御部２０１は、ユーザ１０４が情報データベース３０１に対する検索、閲覧等を行うメイン画面データを端末装置１０３に送信する（ステップ７０７）。
【００５６】
端末装置１０３の制御部４０１は、受け取ったメイン画面１２を表示する（ステップ７０８）。図１４は、メイン画面１２を示す
図１４に示すように、メイン画面１２は、商品／素材情報一覧画面１３、作業箱一覧画面１４、グループ一覧画面１５、商品／素材情報切替ボタン２１等の制御ボタン等からなる。商品／素材情報切替ボタン２１は、商品／素材情報一覧画面１３に表示する商品情報３２１／素材情報３２２を切り替える。
商品／素材情報一覧画面１３は、一覧商品情報データベース３０１から取得した複数の商品／素材情報レコード４５とコピー対象チェックボックス４４（コピー対象選択部）等からなる商品／素材情報一覧４１、コピーボタン２２、貼り付けボタン２４等の各種制御ボタン等からなる。尚、図１４の商品／素材情報一覧画面１３は、商品情報一覧画面を表示したものである。
作業箱一覧画面１４は、商品／素材情報等の格納先で作業箱一覧４２、コピーボタン２２、貼り付けボタン２４等の各種制御ボタン等からなる。
グループ一覧画面１５は、商品／素材情報等の格納先でグループ一覧４３、コピーボタン２２、貼り付けボタン２４等の各種制御ボタン等からなる。
【００５７】
次に、ステップ６０２の処理である、コピー対象として商品／素材情報を選択した場合の、商品／素材情報のコピー処理について詳しく説明する。図８は、コピー対象：商品／素材情報のコピー処理（ステップ６０２）の処理手順を示すフローチャートである。
【００５８】
図８に示すように、ユーザ１０４は、商品／素材情報一覧画面１３のコピー対象の商品／素材情報レコード４５のコピー対象チェックボックス４４にチェックを入れ、コピーボタン２２を押下する（ステップ８０１）。
例えば、商品／素材情報一覧４１の先頭の３商品／素材情報レコード４５をコピー対象とし、当該コピー対象チェックボックス４４にチェックを入れる。
端末装置１０３の制御部４０１は、コピー要求を送信する（ステップ８０２）。
【００５９】
サーバ１０１の制御部２０１は、ＷＷＷサーバ１１０にて、選択されたコピー対象の商品／素材情報ＩＤを判別する（ステップ８０３）。制御部２０１は、当該商品／素材情報ＩＤを記憶装置２０２に保持する（ステップ８０４）。制御部２０１は、コピー内容確認画面データを生成、送信する（ステップ８０５）。
【００６０】
端末装置１０３の制御部４０１は、商品／素材情報のコピー内容確認画面１６ａを表示する（ステップ８０６）。図１５は、商品／素材情報のコピー内容確認画面１６ａを示す。
【００６１】
図１５に示すように、商品／素材情報のコピー内容確認画面１６ａには、コピー対象４６：商品／素材情報、コピー内容４７：コピー対象の商品／素材情報レコード４５等が表示される。尚、図１５のコピー内容確認画面１６ａは、商品情報のコピー内容４７を表示したものである。
【００６２】
ユーザ１０４はコピー内容確認後、閉じるボタン２３を押下する（ステップ８０７）。制御部４０１は、メイン画面１２に移行する（ステップ８０８）。
【００６３】
次に、ステップ６０３の処理である、コピー対象としてグループ／作業箱情報を選択した場合の、グループ／作業箱情報のコピー処理について詳しく説明する。図９は、コピー対象：グループ／作業箱情報のコピー処理（ステップ６０３）の処理手順を示すフローチャートである。図１６は、作業箱一覧画面１４とグループ一覧画面１５を示す。
【００６４】
図９、図１６に示すように、ユーザ１０４は、作業箱一覧画面１４やグループ一覧画面１５にて、コピー対象のグループ５２／作業箱５１を選択し、コピーボタン２２を押下する（ステップ９０１）。
例えば、グループ一覧画面１５のグループ５２「商品情報」をコピー対象として選択する。
端末装置１０３の制御部４０１は、コピー要求を送信する（ステップ９０２）。
【００６５】
サーバ１０１の制御部２０１は、ＷＷＷサーバ１１０にて、選択されたコピー対象のグループ／作業箱ＩＤを判別する（ステップ９０３）。制御部２０１は、当該グループ／作業箱ＩＤを記憶装置２０２に保持する（ステップ９０４）。制御部２０１は、コピー内容確認画面データを生成、送信する（ステップ９０５）。
【００６６】
端末装置１０３の制御部４０１は、グループ／作業箱情報のコピー内容確認画面１６ｂを表示する（ステップ９０６）。図１７は、グループ／作業箱情報のコピー内容確認画面１６ｂを示す。
【００６７】
図１７に示すように、グループ／作業箱情報のコピー内容確認画面１６ｂには、コピー対象４６：グループ／作業箱情報、コピー内容４７：コピー対象のグループ５２／作業箱５１等が表示される。尚、図１７のコピー内容確認画面１６ｂは、グループ情報のコピー内容４７であるグループ５２「商品情報」を表示したものである。
【００６８】
ユーザ１０４はコピー内容確認後、閉じるボタン２３を押下する（ステップ９０７）。制御部４０１は、メイン画面１２に移行する（ステップ９０８）。
【００６９】
次に、ステップ６０４の処理である、コピー対象として商品／素材情報を選択後、貼り付け対象としてグループ／作業箱を指定した場合の、商品／素材情報のグループ／作業箱への移動、又は複製処理について詳しく説明する。図１０は、商品／素材情報のグループ／作業箱への移動、又は複製処理（ステップ６０４）の処理手順を示すフローチャートである。図１８は、メイン画面１２（貼り付け対象選択）を示す。
【００７０】
図１０、図１８に示すように、ユーザ１０４は、メイン画面１２にて、貼り付け対象のグループ５２／作業箱５１を選択し、貼り付けボタン２４を押下する（ステップ１００１）。例えば、作業箱一覧画面１４の作業箱５１「ｔｅｓｔ商品３」を貼り付け対象として選択する。
【００７１】
端末装置１０３の制御部４０１は、商品／素材情報貼り付け設定画面１７を表示する（ステップ１００２）。図１９は、商品／素材情報貼り付け設定画面１７を示す。
図１９に示すように、商品／素材情報貼り付け設定画面１７は、貼り付け先の重複時設定５７、コピー内容確認ボタン２８、コピー元設定５８等の貼り付け設定５６からなる。重複時設定５７は、貼り付け先のグループ５２／作業箱５１内に同じ商品／素材情報のショートカットが既に格納されている場合の処理設定（上書き／貼り付けない）である。コピー内容確認ボタン２８を押下することにより、コピー内容確認画面１６ａを表示する。コピー元設定５８は、コピー元そのまま（複製）／コピー元削除（移動）の設定であり、これにより、コピー内容の複製／移動を決定する。
【００７２】
ユーザ１０４は、貼り付け設定５６を指定し、ＯＫボタン２５を押下する（ステップ１００３）。制御部４０１は、指定された貼り付け設定５６と共に、貼り付け要求を送信する（ステップ１００４）。
【００７３】
サーバ１０１の制御部２０１は、ＷＷＷサーバ１１０にて、選択された貼り付け対象のグループ／作業箱ＩＤを判別する（ステップ１００５）。
【００７４】
制御部２０１は、貼り付け対象のグループ５２／作業箱５１に対して、記憶装置２０２に保持しているコピー対象の商品／素材情報ＩＤを、情報データベース３０１内の管理テーブル群３３０で関連付ける（ステップ１００６）。図２５は、グループ５２への商品情報３２１の関連付けを示す。
図２５に示すように、情報データベース３０１の商品グループテーブル３４１は、各グループ５２に入っている商品情報３２１を管理している。例えば、グループＩＤ７１が「４」のグループ５２に商品情報ＩＤ８１が「１０００１２」と「１０００１３」の商品情報３２１のショートカットが入っていることになる。
また、作業箱５１や素材情報３２２に関しても、同様にそれぞれ、商品情報ＩＤ８１／素材情報ＩＤ８２と商品／素材情報が所属するグループＩＤ７１／作業箱ＩＤ７２を関連付ける素材グループテーブル３４２、商品作業箱テーブル３４３、素材作業箱テーブル３４４等で管理している。
【００７５】
更に、貼り付け設定５６が移動の場合（コピー元設定５８に、「コピー元削除」を設定した場合）、制御部２０１は、コピー対象の商品／素材情報が所属していたコピー元のグループ／作業箱ＩＤに対して、当該商品／素材情報ＩＤの関連付けを削除する（ステップ１００７）。
【００７６】
制御部２０１は、コピー内容４７を貼り付けた商品／素材情報一覧画面データを生成、送信する（ステップ１００８）。
【００７７】
端末装置１０３の制御部４０１は、コピー内容４７を貼り付けた商品／素材情報一覧画面１３ｂを表示する（ステップ１００９）。図２０は、コピー内容を貼り付けた商品／素材情報一覧画面１３ｂを示す。
【００７８】
図２０に示すように、商品／素材情報一覧画面１３ｂには、指定された貼り付け対象のグループ５２／作業箱５１に移動、又は複製されたコピー内容４７である商品／素材情報レコード４５が表示される。
【００７９】
次に、ステップ６０５の処理である、コピー対象として商品／素材情報を選択後、貼り付け対象として商品／素材情報の関連項目を指定した場合の、商品／素材情報の関連項目への商品／素材情報の関連付け処理について詳しく説明する。図１１は、貼り付け対象：商品／素材情報の関連項目への商品／素材情報の関連付け処理（ステップ６０５）の処理手順を示すフローチャートである。
【００８０】
図１１に示すように、ユーザ１０４は、メイン画面１２の商品／素材詳細情報画面にて、貼り付け対象の商品／素材情報の関連項目である商品関連商品項目、商品関連素材項目、又は素材関連素材項目を選択し、貼り付けボタン２４を押下する（ステップ１１０１）。
【００８１】
端末装置１０３の制御部４０１は、商品／素材情報貼り付け設定画面１７を表示する（ステップ１１０２）。
ユーザ１０４は、貼り付け設定５６を指定し、ＯＫボタン２５を押下する（ステップ１１０３）。制御部４０１は、指定された貼り付け設定５６と共に、貼り付け要求を送信する（ステップ１１０４）。
【００８２】
サーバ１０１の制御部２０１は、ＷＷＷサーバ１１０にて、貼り付け対象の商品／素材情報ＩＤと、選択した商品／素材情報の関連項目である商品関連商品項目、商品関連素材項目、又は素材関連素材項目を判別する（ステップ１１０５）。
【００８３】
制御部２０１は、貼り付け対象の商品／素材の関連項目に対して、記憶装置２０２に保持しているコピー対象の商品／素材情報ＩＤを、情報データベース３０１内の管理テーブル群３３０で関連付ける（ステップ１００６）。図２６は、商品関連商品への商品情報３２１の関連付けを示す。
図２６に示すように、情報データベース３０１の商品関連商品テーブル３５１は、ある商品が他のどの商品と関連付いているかを管理している。例えば、商品情報ＩＤ８１が「１０００１２」の商品と、関連商品情報ＩＤ８８が「１０００１５」の商品が、ＩＤ４の商品関連商品項目ＩＤ８５「４」で関連付けられていることを示す。商品関連素材、素材関連素材についても同様に、商品関連素材テーブル３５２、素材関連素材テーブル３５３等で関連付けられる。
【００８４】
更に、貼り付け設定５６が移動の場合、制御部２０１は、コピー対象の商品／素材情報が所属していたコピー元のグループ／作業箱ＩＤに対して、当該商品／素材情報ＩＤの関連付けを削除する（ステップ１１０７）。
【００８５】
制御部２０１は、コピー内容を貼り付けた商品／素材詳細情報一覧画面データを生成、送信する（ステップ１１０８）。
端末装置１０３の制御部４０１は、コピー内容を貼り付けた商品／素材詳細情報一覧画面１８ｂを表示する（ステップ１１０９）。
【００８６】
次に、商品／素材情報の商品／素材情報の関連項目への関連付けの具体例を示す。図２１は、商品関連商品項目への商品情報貼り付けを示す。図２２は、商品関連素材項目への素材情報貼り付けを示す。
【００８７】
例えば、図２１に示すように、商品関連商品項目６０へ商品情報３２１の貼り付けを行う場合、メイン画面１２上の商品関連商品タブ２６を選択することにより、制御部４０１は、メイン画面１２上に１又は複数の商品関連商品項目６０とその貼り付け対象チェックボック６１からなる商品詳細情報画面（貼り付け対象選択）１８ａを表示し、ユーザ１０４は、貼り付け対象の商品関連商品項目６０「付属商品情報」の貼り付け対象チェックボックス６１にチェックし、貼り付けボタン２４を押下する。
サーバ１０１の制御部２０１は、指定された貼り付け要求に対して、保持しているコピー内容４７の商品情報３２１を貼り付け対象の商品関連商品項目６０「付属商品情報」に貼り付け、その商品詳細情報画面データを送信し、制御部４０１は、コピー内容４７の商品情報３２１を貼り付け対象の商品関連商品項目６０「付属商品情報」に貼り付けた商品詳細情報画面（貼り付け）１８ｂを表示する。
【００８８】
また、図２２に示すように、商品関連素材項目６２へ素材情報３２２の貼り付けを行う場合、メイン画面１２上の商品関連素材タブ２７を選択することにより、制御部４０１は、メイン画面１２上に１又は複数の商品関連素材項目６２とその貼り付け対象チェックボックス６１からなる商品詳細情報画面１８ａを表示し、ユーザ１０４は、貼り付け対象の商品関連素材項目６２「商品画像」の貼り付け対象チェックボックス６１にチェックし、貼り付けボタン２４を押下する。
サーバ１０１の制御部２０１は、指定された貼り付け要求に対して、保持しているコピー内容４７の素材情報３２２を貼り付け対象の商品関連素材項目６２「商品画像」に貼り付け、その商品詳細情報画面データを送信し、制御部４０１は、コピー内容４７の素材情報３２２を貼り付け対象の商品関連素材項目６２「商品画像」に貼り付けた商品詳細情報画面１８ｂを表示する。
【００８９】
また、素材関連素材項目への素材情報３２２の貼り付けを行う場合、商品／素材情報切替ボタン２１により、素材情報一覧画面を表示し、素材関連素材タブを選択することにより、素材詳細情報画面（図示せず）を表示し、同様に、貼り付け対象の素材関連素材項目を選択し、コピー対象の素材情報３２２を貼り付ける。
【００９０】
次に、ステップ６０６の処理である、コピー対象としてグループ／作業箱情報を選択後、貼り付け対象としてグループ５２／作業箱５１を指定した場合の、グループ／作業箱情報のグループ５２／作業箱５１への移動、又は複製処理について詳しく説明する。図１２は、グループ／作業箱情報のグループ５２／作業箱５１への移動、又は複製処理（ステップ６０６）の処理手順を示すフローチャートである。図２３は、グループ情報のグループ５２への貼り付けを示す。
【００９１】
図１２に示すように、ユーザ１０４は、グループ一覧画面１５／作業箱一覧画面１４にて、貼り付け対象のグループ５２／作業箱５１を選択し、貼り付けボタン２４を押下する（ステップ１２０１）。
例えば、図２３に示すように、グループ一覧画面（貼り付け対象選択）１５ａで、貼り付け対象のグループ５２「ｔｅｓｔ１」を選択する。
【００９２】
端末装置１０３の制御部４０１は、グループ／作業箱貼り付け設定画面１９を表示する（ステップ１２０２）。図２４は、グループ／作業箱貼り付け設定画面１９を示す。
図２４に示すように、グループ／作業箱貼り付け設定画面１９は、貼り付け対象のグループ５２／作業箱５１、作成場所５９、コピー元設定５８等の貼り付け設定５６からなる。作成場所５９は、貼り付け対象として選択したグループ５２／作業箱５１に対して、どの位置（選択したグループ／作業箱の中、前、又は後）に移動／複製するかを設定する。コピー元設定５８は、コピー元そのまま（複製）／コピー元削除（移動）、更に、複製の場合は、「コピーしたグループの下層のグループも貼り付ける」や、「コピーしたグループに入っている商品／素材のショートカットも貼り付ける」等を設定する。尚、図２４のグループ／作業箱貼り付け設定画面１９は、グループ５２の貼り付け設定５６を示したものである。
例えば、貼り付け対象のグループ５２「ｔｅｓｔ１」、作成場所５９「選択中のグループの中に追加」、コピー元設定５８「コピー元そのまま（コピー）」「下層のグループコピー」、「ショートカットコピー」等を設定する。
【００９３】
ユーザ１０４は、貼り付け設定５６を指定し、ＯＫボタン２５を押下する（ステップ１２０３）。制御部４０１は、指定された貼り付け設定５６と共に、貼り付け要求を送信する（ステップ１２０４）。
【００９４】
サーバ１０１の制御部２０１は、ＷＷＷサーバ１１０にて、貼り付け対象として選択されたグループ／作業箱情報ＩＤを判別する（ステップ１２０５）。
【００９５】
制御部２０１は、貼り付け対象のグループ５２／作業箱５１に対して、貼り付け設定５６の作成場所５９の位置に、グループ５２／作業箱５１を新規作成する（ステップ１２０６）。
【００９６】
制御部２０１は、記憶装置２０２に保持しているコピー対象のグループ／作業箱情報ＩＤのグループ／作業箱情報を、新規作成したグループ５２／作業箱５１にコピーし（ステップ１２０７）、貼り付け設定５６のコピー元設定５８に応じて、商品／素材情報のショートカットなども新規作成したグループ５２／作業箱５１にコピーする（グループ管理テーブル３３１、作業箱管理テーブル３３２や商品グループテーブル３４１、素材グループテーブル３４２、商品作業箱テーブル３４３、素材作業箱テーブル３４４等などにレコードを追加する）（ステップ１２０８）。図２７は、グループ５２へのグループ箱情報の関連付けを示す。
【００９７】
図２７に示すように、グループ管理テーブル３３１は、グループ５２の階層構造を管理するものであり、グループＩＤ７１、親となるグループＩＤを示す親グループＩＤ７３、同一階層での上からの順位を示すソートキー７５、備考７７等のグループ情報等からなる。商品グループテーブル３４１は、グループに入っている商品情報を管理するものであり、グループＩＤ７１と商品情報ＩＤ８１の組からなる。
例えば、グループＩＤ「３」のグループをコピーし、グループＩＤ「４」のグループに対して貼り付け、貼り付け設定：「選択中のグループの中に追加」、「コピー元はそのまま」、「ショートカットもコピー」の場合、グループ管理テーブル３３１ｂに、グループＩＤ「５」のレコードを新規作成し、親グループＩＤ７３に貼り付け対象グループＩＤ「４」を、ソートキー７５に「１」を、設定し、備考７７にコピー対象のグループＩＤ「３」の備考内容「メモＸ」等をコピーする。また、商品グループテーブル３４１ｂに、グループＩＤ「５」のレコードを新規作成し、当該グループ５２に入っている商品情報３２１として、商品情報ＩＤにコピー対象のグループＩＤ「３」の商品情報ＩＤ「１０００１１」をコピーする。
【００９８】
更に、貼り付け設定５６が移動の場合、制御部２０１は、コピー元のコピー対象のグループ／作業箱ＩＤの関連付けを削除する（グループ管理テーブル３３１、作業箱管理テーブル３３２や商品グループテーブル３４１、素材グループテーブル３４２、商品作業箱テーブル３４３、素材作業箱テーブル３４４等における当該レコードを削除する）（ステップ１２０９）。
【００９９】
制御部２０１は、コピー内容を貼り付けたグループ一覧画面データ／作業箱一覧画面データを生成、送信する（ステップ１２１０）。
端末装置１０３の制御部４０１は、コピー内容を貼り付けたグループ一覧画面１５／作業箱一覧画面１４を表示する（ステップ１２１１）。
図２３に示すように、グループ一覧画面（貼り付け後）１５ｂには、コピー内容４７のグループ「商品情報」を、貼り付け対象のグループ「ｔｅｓｔ１」の中に新規追加したグループのツリー構造のグループ一覧を表示する。
【０１００】
以上説明したように、本発明の実施の形態によれば、サーバ１０１の制御部２０１は、商品／素材情報のコピー要求に対して、指定された商品／素材情報のショートカット（商品／素材情報ＩＤ）のコピー処理を行い、貼り付け対象として指定されたグループ５２／作業箱５１への商品／素材情報のショートカットの移動、又は複製処理や、貼り付け対象として指定された商品／素材情報の関連項目への商品／素材情報の関連付け処理を行う。グループ／作業箱情報のコピー要求に対して、制御部２０１は、指定されたグループ／作業箱情報ＩＤのコピー処理を行い、貼り付け対象として指定されたグループ５２／作業箱５１へのグループ／作業箱ＩＤの移動、又は複製処理を行う。更に、端末装置１０３からの要求に応じて、制御部２０１は、グループ／作業箱内に存在するすべての商品／素材情報ショートカットや、グループ５２／作業箱５１の配下に存在するすべてのグループ５２／作業箱５１をコピーする。また、端末装置１０３からの要求に応じて、制御部２０１は、コピー元の商品／素材情報やグループ／作業箱情報を削除する。
【０１０１】
これにより、あるグループに所属する商品情報ショートカットをコピーし、別のグループに貼り付けて商品情報ショートカットの複製を行うことを可能とする。
また、商品検索でヒットした商品情報の中から１又は複数の商品情報をコピーし、ある商品情報Ａの項目Ａに貼り付けることにより、関連付けを行うことを可能とし、更に、商品情報Ａの項目Ｂや異なる商品情報Ｃの項目Ｄなどに対しても、保持しているコピー内容をそのまま貼り付けることができるので、従来のように、毎回、商品検索する必要がなく、効率的なコピー＆貼り付け機能を提供する。
【０１０２】
また、グループ自体をコピーすることも可能であり、この場合には、グループ内に存在する全ての商品情報ショートカット、および選択したグループの配下に存在する全てのグループも一度に貼り付けることができるので効率的に作業することができる。また、グループと同じ機能を提供する作業箱に対しても、同様の処理が可能であり、さらに、コピーしたグループを作業箱として、コピーした作業箱をグループとして貼り付けることができる。
また、コピーした内容は別のオブジェクトコピー時に削除されるので、ユーザが前回のコピー内容を削除してコピー内容を更新する手間を省くことができる。
更に、コピー内容確認画面においてコピー内容を確認することができるので、貼り付け時の操作ミスを軽減することができる。
また、コピー&貼り付けという1つの機能を用いて、ユーザは意識することなくグルーピングや関連付けの処理を行うことができる。
ことを可能とする。
【０１０３】
尚、本実施の形態では、データベースとして商品情報、素材情報等を蓄積する情報データベース３０１を用いたが、商品情報、素材情報等に限るものではない。
【０１０４】
尚、図６、図７、図８、図９、図１０、図１１、図１２等に示す処理を行うプログラムはＣＤ−ＲＯＭ等の記録媒体に保持させて流通させてもよいし、このプログラムを通信回線を介して送受することもできる。
【０１０５】
以上、添付図面を参照しながら、本発明に係るデータベースシステム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【０１０６】
【図１】本実施の形態に係るデータベースシステム１００の概略構成を示す図
【図２】サーバ１０１のハードウェア構成図
【図３】記憶装置２０２におけるデータベースシステム関連ファイルを示す図
【図４】情報データベース３０１のデータ構造を示す図
【図５】端末装置１０３のハードウェア構成図
【図６】データベースシステム１００のコピー処理と貼り付け処理の処理概要を示すフローチャート
【図７】ログイン処理からメイン画面提供処理（ステップ６０１）の処理手順を示すフローチャート
【図８】コピー対象：商品／素材情報のコピー処理（ステップ６０２）の処理手順を示すフローチャート
【図９】コピー対象：グループ／作業箱情報のコピー処理（ステップ６０３）の処理手順を示すフローチャート
【図１０】グループ／作業箱への商品／素材情報の移動、又は複製処理（ステップ６０４）の処理手順を示すフローチャート
【図１１】商品／素材情報の関連項目への商品／素材情報の関連付け処理（ステップ６０５）の処理手順を示すフローチャート
【図１２】グループ／作業箱へのグループ／作業箱情報の移動、又は複製処理（ステップ６０６）の処理手順を示すフローチャート
【図１３】ログイン画面１０とデータベース選択画面１１を示す図
【図１４】メイン画面１２を示す図
【図１５】商品／素材情報のコピー内容確認画面１６ａを示す図
【図１６】作業箱一覧画面１４とグループ一覧画面１５を示す図
【図１７】グループ／作業箱情報のコピー内容確認画面１６ｂを示す図
【図１８】メイン画面１２（貼り付け対象選択）を示す図
【図１９】商品／素材情報貼り付け設定画面１７を示す図
【図２０】コピー内容を貼り付けた商品／素材情報一覧画面１３を示す図
【図２１】商品関連商品項目６０への商品情報３２１貼り付けを示す図
【図２２】商品関連素材項目６２への素材情報３２２貼り付けを示す図
【図２３】グループ情報のグループ５２への貼り付けを示す図
【図２４】グループ／作業箱貼り付け設定画面１９を示す図
【図２５】グループ５２への商品情報３２１の関連付けを示す図
【図２６】商品関連商品への商品情報３２１の関連付けを示す図
【図２７】グループ５２／作業箱５１へのグループ／作業箱情報の関連付けを示す図
【符号の説明】
【０１０７】
１００………データベースシステム
１０１………サーバ
１０３………端末装置
１０４………ユーザ
１０９………ネットワーク
１１０………ＷＷＷサーバ
１１１………データベース操作手段
１１２………データベースサーバ管理手段
１１３………データベース管理手段
１２０………ＷＷＷブラウザ
２０１、４０１………制御部
２０２、４０２………記憶装置
３０１………情報データベース
３２１………商品情報
３２２………素材情報
３３１………グループ管理テーブル
３４１………商品グループテーブル
３５１………商品関連商品テーブル
２２………コピーボタン
２４………貼り付けボタン
４４………コピー対象チェックボックス
４５………商品／素材情報レコード
５１………作業箱
５２………グループ
５６………貼り付け設定
５７………重複時設定
５８………コピー元設定
６０………商品関連商品項目
６１………貼り付け対象チェックボックス
６２………商品関連素材項目
【図１】
2005258749.tif 000003
【図２】
2005258749.tif 000004
【図３】
2005258749.tif 000005
【図４】
2005258749.tif 000006
【図５】
2005258749.tif 000007
【図６】
2005258749.tif 000008
【図７】
2005258749.tif 000009
【図８】
2005258749.tif 000010
【図９】
2005258749.tif 000011
【図１０】
2005258749.tif 000012
【図１１】
2005258749.tif 000013
【図１２】
2005258749.tif 000014
【図１３】
2005258749.tif 000015
【図１４】
2005258749.tif 000016
【図１５】
2005258749.tif 000017
【図１６】
2005258749.tif 000018
【図１７】
2005258749.tif 000019
【図１８】
2005258749.tif 000020
【図１９】
2005258749.tif 000021
【図２０】
2005258749.tif 000022
【図２１】
2005258749.tif 000023
【図２２】
2005258749.tif 000024
【図２３】
2005258749.tif 000025
【図２４】
2005258749.tif 000026
【図２５】
2005258749.tif 000027
【図２６】
2005258749.tif 000028
【図２７】
2005258749.tif 000029